(57)【要約】【課題】本発明は自撮り棒の補助設備を開示した。【解決手段】固定箱を含み、前記固定箱の中には上方に開口した固定チャンバが設置され、前記固定チャンバの両側には伝動チャンバが連通するように設置され、前記伝動チャンバの上方にはスライドチャンバが連通するように設置され、前記スライドチャンバの上方には連結チャンバが連通するように設置され、昇降ブロックを回転させ、ネジ山ブロックを回転連動させ、制限ブロックがスライド溝の中でスライドし、固定箱を上下に移動連動させ、本装置の自撮り棒を固定チャンバに挿し込み、固定板を利用して自撮り棒をきつく挟み、自撮り棒を設備に固定すれば、遠距離の自撮りをすることができ、回転機構の中の昇降ブロックを回転させれば、固定箱の高さを調整することができ、身長が異なる人は撮影する時の高さに対するニーズを満たせる。【選択図】図１
2020184050.tif 000002
【特許請求の範囲】
【請求項１】
正面視で、固定箱を含み、前記固定箱の中には上方に開口した固定チャンバが設置され、前記固定チャンバの両側には伝動チャンバが連通するように設置され、前記伝動チャンバの上方にはスライドチャンバが連通するように設置され、前記スライドチャンバの上方には連結チャンバが連通するように設置され、前記連結チャンバと前記固定チャンバとの間には自撮り棒を固定できる固定機構が設置され、前記固定機構の下方には設備の高さを調節できる回転機構が設置され、前記回転機構の中にはネジ穴が設置され、前記ネジ穴の左右両側にはスライド溝が設置され、前記回転機構の下方には支持機能を持つ支持機構が設置され、前記支持機構の中には第二支持ブロックが設置され、前記第二支持ブロックの中には移動チャンバが設置され、前記固定機構の前側にはスマホを固定することができる挟み機構が設置され、前記挟み機構の中には回転チャンバが設置され、前記回転チャンバの中には回転箱が設置されていることを特徴とする自撮り棒の補助設備。
【請求項２】
前記固定機構は前記固定チャンバの中にスライドできるように取り付けられた移動ブロックを含み、前記移動ブロックの底部端面と前記固定チャンバの底壁との間には固定ばねが固定的に取り付けられ、前記伝動チャンバの前後内壁の間には伝動ロッドが回転できるように取り付けられ、前記伝動ロッドにはギヤが固定的に取り付けられ、前記ギヤが前記移動ブロックと噛み合っており、前記スライドチャンバの中にはスライドブロックがスライドできるように取り付けられ、前記スライドブロックが前記ギヤと噛み合っており、前記連結チャンバの中には連結ブロックがスライドできるように取り付けられ、前記連結ブロックと前記連結チャンバとの間には連結ばねが固定的に取り付けられ、前記連結ブロックの頂部端面には推し動かしブロックが固定的に取り付けられ、前記推し動かしブロックには固定板が固定的に取り付けられ、前記固定板の中には固定溝が設置されていることを特徴とする請求項１に記載の自撮り棒の補助設備。
【請求項３】
前記回転機構は前記固定箱の下方に設置された昇降ブロックを含み、前記ネジ穴が前記固定箱の底部端面に下方に開口するように設置され、前記ネジ穴の中にはネジ山ブロックがネジ山によって取り付けられ、前記ネジ山ブロックの底部端面が前記昇降ブロックの頂部端面と固定的に取り付けられ、前記スライド溝の中には制限ブロックがスライドできるように取り付けられ、前記制限ブロックが前記昇降ブロックと回転できるように取り付けられていることを特徴とする請求項１に記載の自撮り棒の補助設備。
【請求項４】
前記支持機構は前記昇降ブロックの底部端面の中に回転できるように取り付けられた回転盤を含み、前記回転盤の底部端面には支持板が前後対称的に固定的に取り付けられ、前後の前記支持板の間には第一回転ロッドが左右対称的に回転できるように取り付けられ、前記第二支持ブロックが前記第一回転ロッドに固定的に取り付けられ、前記移動チャンバの中には移動溝が設置され、前記移動溝の中にはスライドロッドがスライドできるように取り付けられ、前記スライドロッドには第一支持ブロックが回転できるように取り付けられ、前記移動溝には位置制限穴が連通するように設置され、前記支持板の中には支持孔が設置され、前記支持孔の左右内壁の間には第二回転ロッドが回転できるように取り付けられ、前記第二回転ロッドには支持ロッドが固定的に取り付けられていることを特徴とする請求項１に記載の自撮り棒の補助設備。
【請求項５】
前記挟み機構は前記回転チャンバの左側内壁の中に固定的に取り付けられたモーターを含み、前記モーターの右向きの出力軸の右側の端面にはモーターロッドが固定的に取り付けられ、前記モーターロッドが前記回転チャンバの右側内壁と回転できるよに連結され、前記回転箱が前記モーターロッドに固定的に取り付けられ、前記モーターロッドの中には横溝が設置され、前記横溝の左右両側には第一引っ掛かり溝が連通するように設置され、前記第一引っ掛かり溝の中には第一引っ掛かりブロックがスライドできるように取り付けられ、前記第一引っ掛かりブロックと前記第一引っ掛かり溝との間には第一ばねが固定的に取り付けられ、前記横溝の底壁には縦溝が連通するように設置され、前記縦溝の左右両側には第二引っ掛かり溝が連通するように設置され、前記第二引っ掛かり溝の中には第二引っ掛かりブロックがスライドできるように取り付けられ、前記第二引っ掛かりブロックと前記第二引っ掛かり溝との間には第二ばねが固定的に取り付けられていることを特徴とする請求項１に記載の自撮り棒の補助設備。
【発明の詳細な説明】
【技術分野】
【０００１】
本発明は補助設備技術分野に関わり、具体的には自撮り棒の補助設備である。
【背景技術】
【０００２】
多くの人は自撮り棒を利用して写真を撮り、しかし、自撮り棒には不便なところもあり、自撮り棒はスマホを地面に支持することができなく、そのため、遠距離の自撮りはできなく、限界性があり、既存の技術の中に、普通の自撮り棒の補助設備は高さを調整することができないので、身長が異なる人は撮影する時の高さに対するニーズを満たせなく、そのほか、普通の自撮り棒の補助設備は自撮り棒のみを固定でき、スマホのみを固定してスマホの角度を調整するのはできなく、従って、自撮り棒を地面に支持し、高さを調整でき、且つスマホを単独で固定し、スマホの撮影角度を調節できる自撮り棒の補助設備が必要となる。
【先行技術文献】
【特許文献】
【０００３】
【特許文献１】中国特許出願公開第１０５６８１５０８号明細書
【発明の概要】
【発明が解決しようとする課題】
【０００４】
本発明は自撮り棒の補助設備を提供し、既存技術にある上記欠点を解消することを目的とする。
【課題を解決するための手段】
【０００５】
本発明の実施例の自撮り棒の補助設備は、固定箱を含み、前記固定箱の中には上方に開口した固定チャンバが設置され、前記固定チャンバの両側には伝動チャンバが連通するように設置され、前記伝動チャンバの上方にはスライドチャンバが連通するように設置され、前記スライドチャンバの上方には連結チャンバが連通するように設置され、前記連結チャンバと前記固定チャンバとの間には自撮り棒を固定できる固定機構が設置され、前記固定機構の下方には設備の高さを調節できる回転機構が設置され、前記回転機構の中にはネジ穴が設置され、前記ネジ穴の左右両側にはスライド溝が設置され、前記回転機構の下方には支持機能を持つ支持機構が設置され、前記支持機構の中には第二支持ブロックが設置され、前記第二支持ブロックの中には移動チャンバが設置され、前記固定機構の前側にはスマホを固定することができる挟み機構が設置され、前記挟み機構の中には回転チャンバが設置され、前記回転チャンバの中には回転箱が設置されている。
【０００６】
さらなる技術プランには、前記固定機構は前記固定チャンバの中にスライドできるように取り付けられた移動ブロックを含み、前記移動ブロックの底部端面と前記固定チャンバの底壁との間には固定ばねが固定的に取り付けられ、前記伝動チャンバの前後内壁の間には伝動ロッドが回転できるように取り付けられ、前記伝動ロッドにはギヤが固定的に取り付けられ、前記ギヤが前記移動ブロックと噛み合っており、前記スライドチャンバの中にはスライドブロックがスライドできるように取り付けられ、前記スライドブロックが前記ギヤと噛み合っており、前記連結チャンバの中には連結ブロックがスライドできるように取り付けられ、前記連結ブロックと前記連結チャンバとの間には連結ばねが固定的に取り付けられ、前記連結ブロックの頂部端面には推し動かしブロックが固定的に取り付けられ、前記推し動かしブロックには固定板が固定的に取り付けられ、前記固定板の中には固定溝が設置されている。
【０００７】
さらなる技術プランには、前記回転機構は前記固定箱の下方に設置された昇降ブロックを含み、前記ネジ穴が前記固定箱の底部端面に下方に開口するように設置され、前記ネジ穴の中にはネジ山ブロックがネジ山によって取り付けられ、前記ネジ山ブロックの底部端面が前記昇降ブロックの頂部端面と固定的に取り付けられ、前記スライド溝の中には制限ブロックがスライドできるように取り付けられ、前記制限ブロックが前記昇降ブロックと回転できるように取り付けられている。
【０００８】
さらなる技術プランには、前記支持機構は前記昇降ブロックの底部端面の中に回転できるように取り付けられた回転盤を含み、前記回転盤の底部端面には支持板が前後対称的に固定的に取り付けられ、前後の前記支持板の間には第一回転ロッドが左右対称的に回転できるように取り付けられ、前記第二支持ブロックが前記第一回転ロッドに固定的に取り付けられ、前記移動チャンバの中には移動溝が設置され、前記移動溝の中にはスライドロッドがスライドできるように取り付けられ、前記スライドロッドには第一支持ブロックが回転できるように取り付けられ、前記移動溝には位置制限穴が連通するように設置され、前記支持板の中には支持孔が設置され、前記支持孔の左右内壁の間には第二回転ロッドが回転できるように取り付けられ、前記第二回転ロッドには支持ロッドが固定的に取り付けられている。
【０００９】
さらなる技術プランには、前記挟み機構は前記回転チャンバの左側内壁の中に固定的に取り付けられたモーターを含み、前記モーターの右向きの出力軸の右側の端面にはモーターロッドが固定的に取り付けられ、前記モーターロッドが前記回転チャンバの右側内壁と回転できるよに連結され、前記回転箱が前記モーターロッドに固定的に取り付けられ、前記モーターロッドの中には横溝が設置され、前記横溝の左右両側には第一引っ掛かり溝が連通するように設置され、前記第一引っ掛かり溝の中には第一引っ掛かりブロックがスライドできるように取り付けられ、前記第一引っ掛かりブロックと前記第一引っ掛かり溝との間には第一ばねが固定的に取り付けられ、前記横溝の底壁には縦溝が連通するように設置され、前記縦溝の左右両側には第二引っ掛かり溝が連通するように設置され、前記第二引っ掛かり溝の中には第二引っ掛かりブロックがスライドできるように取り付けられ、前記第二引っ掛かりブロックと前記第二引っ掛かり溝との間には第二ばねが固定的に取り付けられている。
【発明の効果】
【００１０】
本発明の有益な効果は：本発明は構成が簡単で、操作が便利であり、自撮り棒を固定チャンバに挿し込み、固定板を利用して自撮り棒をきつく挟み、自撮り棒を設備に固定すれば、遠距離の自撮りをすることができ、回転機構の中の昇降ブロックを回転させれば、固定箱の高さを調整することができ、身長が異なる人は撮影する時の高さに対するニーズを満たせ、挟み機構の中の横溝と縦溝はスマホを横向き又は縦向きにきつく挟み、スマホの撮影角度を調整することができ、支持機構は設備の四つの面を支持し、設備は倒れにくく、普及する価値がある。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の構成概略図
【図２】図２は図１の中のＡ―Ａ方向の断面構成概略図
【図３】図３は図１の中のＢ―Ｂ方向の断面構成概略図
【図４】図４は図１の中のＣのところの拡大概略図
【図５】図５は図２の中のＤ―Ｄ方向の断面構成概略図
【発明を実施するための形態】
【００１３】
図１〜５を参照し、本発明の実施例の自撮り棒の補助設備は、固定箱５５を含み、前記固定箱５５の中には上方に開口した固定チャンバ２９が設置され、前記固定チャンバ２９の両側には伝動チャンバ２０が連通するように設置され、前記伝動チャンバ２０の上方にはスライドチャンバ１６が連通するように設置され、前記スライドチャンバ１６の上方には連結チャンバ１４が連通するように設置され、前記連結チャンバ１４と前記固定チャンバ２９との間には自撮り棒５６を固定できる固定機構７０が設置され、前記固定機構７０の下方には設備の高さを調節できる回転機構８０が設置され、前記回転機構８０の中にはネジ穴２６が設置され、前記ネジ穴２６の左右両側にはスライド溝２１が設置され、前記回転機構８０の下方には支持機能を持つ支持機構９０が設置され、前記支持機構９０の中には第二支持ブロック４０が設置され、前記第二支持ブロック４０の中には移動チャンバ４５が設置され、前記固定機構７０の前側にはスマホを固定することができる挟み機構１００が設置され、前記挟み機構１００の中には回転チャンバ３２が設置され、前記回転チャンバ３２の中には回転箱３１が設置されている。
【００１４】
有益な又は例示のように、前記固定機構７０は前記固定チャンバ２９の中にスライドできるように取り付けられた移動ブロック２８を含み、前記移動ブロック２８の底部端面と前記固定チャンバ２９の底壁との間には固定ばね２７が固定的に取り付けられ、前記伝動チャンバ２０の前後内壁の間には伝動ロッド１９が回転できるように取り付けられ、前記伝動ロッド１９にはギヤ１８が固定的に取り付けられ、前記ギヤ１８が前記移動ブロック２８と噛み合っており、前記スライドチャンバ１６の中にはスライドブロック１７がスライドできるように取り付けられ、前記スライドブロック１７が前記ギヤ１８と噛み合っており、前記連結チャンバ１４の中には連結ブロック１３がスライドできるように取り付けられ、前記連結ブロック１３と前記連結チャンバ１４との間には連結ばね１５が固定的に取り付けられ、前記連結ブロック１３の頂部端面には推し動かしブロック１２が固定的に取り付けられ、前記推し動かしブロック１２には固定板１１が固定的に取り付けられ、前記固定板１１の中には固定溝３０が設置され、
それによって自撮り棒５６を固定チャンバ２９に挿し込み、それによって移動ブロック２８が下方へ移動し、ギヤ１８を回転連動させ、両側のスライドブロック１７と連結ブロック１３とが互いに近づき、両側の推し動かしブロック１２と固定板１１とを連動させて互いに近づかせ、固定溝３０が自撮り棒５６の表面に密着し、自撮り棒５６を挟む。
【００１５】
有益な又は例示のように、前記回転機構８０は前記固定箱５５の下方に設置された昇降ブロック２４を含み、前記ネジ穴２６が前記固定箱５５の底部端面に下方に開口するように設置され、前記ネジ穴２６の中にはネジ山ブロック２３がネジ山によって取り付けられ、前記ネジ山ブロック２３の底部端面が前記昇降ブロック２４の頂部端面と固定的に取り付けられ、前記スライド溝２１の中には制限ブロック２２がスライドできるように取り付けられ、前記制限ブロック２２が前記昇降ブロック２４と回転できるように取り付けられ、
それによって昇降ブロック２４を回転させ、ネジ山ブロック２３を回転連動させ、制限ブロック２２がスライド溝２１の中でスライドし、固定箱５５を上下に移動連動させる。
【００１６】
有益な又は例示のように、前記支持機構９０は前記昇降ブロック２４の底部端面の中に回転できるように取り付けられた回転盤２５を含み、前記回転盤２５の底部端面には支持板３５が前後対称的に固定的に取り付けられ、前後の前記支持板３５の間には第一回転ロッド３９が左右対称的に回転できるように取り付けられ、前記第二支持ブロック４０が前記第一回転ロッド３９に固定的に取り付けられ、前記移動チャンバ４５の中には移動溝４６が設置され、前記移動溝４６の中にはスライドロッド４１がスライドできるように取り付けられ、前記スライドロッド４１には第一支持ブロック４２が回転できるように取り付けられ、前記移動溝４６には位置制限穴４４が連通するように設置され、前記支持板３５の中には支持孔３６が設置され、前記支持孔３６の左右内壁の間には第二回転ロッド３７が回転できるように取り付けられ、前記第二回転ロッド３７には支持ロッド３８が固定的に取り付けられ、
それによって第二支持ブロック４０を引いてから第一支持ブロック４２を引き、スライドロッド４１が移動溝４６でスライドし、スライドロッド４１が位置制限穴４４に入り、第一支持ブロック４２の頂部を位置制限溝４３に引っ掛からせ、第一支持ブロック４２の底部が地面に支持し、支持ロッド３８を回転させ、左右の支持とする。
【００１７】
有益な又は例示のように、前記挟み機構１００は前記回転チャンバ３２の左側内壁の中に固定的に取り付けられたモーター４７を含み、前記モーター４７の右向きの出力軸の右側の端面にはモーターロッド４８が固定的に取り付けられ、前記モーターロッド４８が前記回転チャンバ３２の右側内壁と回転できるよに連結され、前記回転箱３１が前記モーターロッド４８に固定的に取り付けられ、前記モーターロッド４８の中には横溝３３が設置され、前記横溝３３の左右両側には第一引っ掛かり溝５４が連通するように設置され、前記第一引っ掛かり溝５４の中には第一引っ掛かりブロック５３がスライドできるように取り付けられ、前記第一引っ掛かりブロック５３と前記第一引っ掛かり溝５４との間には第一ばね５２が固定的に取り付けられ、前記横溝３３の底壁には縦溝３４が連通するように設置され、前記縦溝３４の左右両側には第二引っ掛かり溝４９が連通するように設置され、前記第二引っ掛かり溝４９の中には第二引っ掛かりブロック５０がスライドできるように取り付けられ、前記第二引っ掛かりブロック５０と前記第二引っ掛かり溝４９との間には第二ばね５１が固定的に取り付けられ、
それによってスマホが横溝３３の中に横に向いて固定されることができれば、縦に向いて縦溝３４の中に固定されることもでき、第一引っ掛かりブロック５３と第二引っ掛かりブロック５０とによってスマホをきつく挟み、モーター４７が始動されてモーターロッド４８を回転連動させ、モーターロッド４８が回転して回転箱３１を回転連動させ、スマホの角度を調節する。
【００１８】
使用の時、自撮り棒５６を固定チャンバ２９に挿し込み、それによって移動ブロック２８が下方へ移動し、ギヤ１８を回転連動させ、両側のスライドブロック１７と連結ブロック１３とが互いに近づき、両側の推し動かしブロック１２と固定板１１とを連動させて互いに近づかせ、固定溝３０が自撮り棒５６の表面に密着し、自撮り棒５６を挟み、昇降ブロック２４を回転させ、ネジ山ブロック２３を回転連動させ、制限ブロック２２がスライド溝２１の中でスライドし、固定箱５５を上下に移動連動させ、第二支持ブロック４０を引いてから第一支持ブロック４２を引き、スライドロッド４１が移動溝４６でスライドし、スライドロッド４１が位置制限穴４４に入り、第一支持ブロック４２の頂部を位置制限溝４３に引っ掛からせ、第一支持ブロック４２の底部が地面に支持し、支持ロッド３８を回転させ、左右の支持とし、スマホが横溝３３の中に横に向いて固定されることができれば、縦に向いて縦溝３４の中に固定されることもでき、第一引っ掛かりブロック５３と第二引っ掛かりブロック５０とによってスマホをきつく挟み、モーター４７が始動されてモーターロッド４８を回転連動させ、モーターロッド４８が回転して回転箱３１を回転連動させ、スマホの角度を調節する。
【００１９】
本発明の有益な効果は：本発明は構成が簡単で、操作が便利であり、自撮り棒を固定チャンバに挿し込み、固定板を利用して自撮り棒をきつく挟み、自撮り棒を設備に固定すれば、遠距離の自撮りをすることができ、回転機構の中の昇降ブロックを回転させれば、固定箱の高さを調整することができ、身長が異なる人は撮影する時の高さに対するニーズを満たせ、挟み機構の中の横溝と縦溝はスマホを横向き又は縦向きにきつく挟み、スマホの撮影角度を調整することができ、支持機構は設備の四つの面を支持し、設備は倒れにくく、普及する価値がある。
【００２０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020184050.tif 000003
【図２】
2020184050.tif 000004
【図３】
2020184050.tif 000005
【図４】
2020184050.tif 000006
【図５】
2020184050.tif 000007
【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
正面視で、固定箱を含み、前記固定箱の中には上方に開口した固定チャンバが設置され、前記固定チャンバの両側には伝動チャンバが連通するように設置され、前記伝動チャンバの上方にはスライドチャンバが連通するように設置され、前記スライドチャンバの上方には連結チャンバが連通するように設置され、前記連結チャンバと前記固定チャンバとの間には自撮り棒を固定できる固定機構が設置され、前記固定機構の下方には自撮り棒の高さを調節できる回転機構が設置され、前記回転機構の中にはネジ穴が設置され、前記ネジ穴の左右両側にはスライド溝が設置され、前記回転機構の下方には支持機能を持つ支持機構が設置され、前記支持機構の中には第二支持ブロックが設置され、前記第二支持ブロックの中には移動チャンバが設置され、前記固定機構の前側にはスマホを固定することができる挟み機構が設置され、前記挟み機構の中には回転チャンバが設置され、前記回転チャンバの中には回転箱が設置され、
前記固定機構は前記固定チャンバの中にスライドできるように取り付けられた移動ブロックを含み、前記移動ブロックの底部端面と前記固定チャンバの底壁との間には固定ばねが固定的に取り付けられ、前記伝動チャンバの前後内壁の間には伝動ロッドが回転できるように取り付けられ、前記伝動ロッドにはギヤが固定的に取り付けられ、前記ギヤが前記移動ブロックと噛み合っており、前記スライドチャンバの中にはスライドブロックがスライドできるように取り付けられ、前記スライドブロックが前記ギヤと噛み合っており、前記連結チャンバの中には連結ブロックがスライドできるように取り付けられ、前記連結ブロックと前記連結チャンバとの間には連結ばねが固定的に取り付けられ、前記連結ブロックの頂部端面には推し動かしブロックが固定的に取り付けられ、前記推し動かしブロックには固定板が固定的に取り付けられ、前記固定板の中には固定溝が設置され、
前記回転機構は前記固定箱の下方に設置された昇降ブロックを含み、前記ネジ穴が前記固定箱の底部端面に下方に開口するように設置され、前記ネジ穴の中にはネジ山ブロックがネジ山によって取り付けられ、前記ネジ山ブロックの底部端面が前記昇降ブロックの頂部端面と固定的に取り付けられ、前記スライド溝の中には制限ブロックがスライドできるように取り付けられ、前記制限ブロックが前記昇降ブロックと回転できるように取り付けられ、
前記支持機構は前記昇降ブロックの底部端面の中に回転できるように取り付けられた回転盤を含み、前記回転盤の底部端面には支持板が前後対称的に固定的に取り付けられ、前後の前記支持板の間には第一回転ロッドが左右対称的に回転できるように取り付けられ、前記第二支持ブロックが前記第一回転ロッドに固定的に取り付けられ、前記移動チャンバの中には移動溝が設置され、前記移動溝の中にはスライドロッドがスライドできるように取り付けられ、前記スライドロッドには第一支持ブロックが回転できるように取り付けられ、前記移動溝には位置制限穴が連通するように設置され、前記支持板の中には支持孔が設置され、前記支持孔の左右内壁の間には第二回転ロッドが回転できるように取り付けられ、前記第二回転ロッドには支持ロッドが固定的に取り付けられ、
前記挟み機構は前記回転チャンバの左側内壁の中に固定的に取り付けられたモーターを含み、前記モーターの右向きの出力軸の右側の端面にはモーターロッドが固定的に取り付けられ、前記モーターロッドが前記回転チャンバの右側内壁と回転できるように連結され、前記回転箱が前記モーターロッドに固定的に取り付けられ、前記モーターロッドの中には横溝が設置され、前記横溝の左右両側には第一引っ掛かり溝が連通するように設置され、前記第一引っ掛かり溝の中には第一引っ掛かりブロックがスライドできるように取り付けられ、前記第一引っ掛かりブロックと前記第一引っ掛かり溝との間には第一ばねが固定的に取り付けられ、前記横溝の底壁には縦溝が連通するように設置され、前記縦溝の左右両側には第二引っ掛かり溝が連通するように設置され、前記第二引っ掛かり溝の中には第二引っ掛かりブロックがスライドできるように取り付けられ、前記第二引っ掛かりブロックと前記第二引っ掛かり溝との間には第二ばねが固定的に取り付けられていることを特徴とする自撮り棒の補助設備。
【手続補正２】
【補正対象書類名】明細書
【補正対象項目名】全文
【補正方法】変更
【補正の内容】
【発明の詳細な説明】
【技術分野】
【０００１】
本発明は補助設備技術分野に関わり、具体的には自撮り棒の補助設備である。
【背景技術】
【０００２】
多くの人は自撮り棒を利用して写真を撮り、しかし、自撮り棒には不便なところもあり、自撮り棒はスマホを地面に支持することができなく、そのため、遠距離の自撮りはできなく、限界性があり、既存の技術の中に、普通の自撮り棒の補助設備は高さを調整することができないので、身長が異なる人は撮影する時の高さに対するニーズを満たせなく、そのほか、普通の自撮り棒の補助設備は自撮り棒のみを固定でき、スマホのみを固定してスマホの角度を調整するのはできなく、従って、自撮り棒を地面に支持し、高さを調整でき、且つスマホを単独で固定し、スマホの撮影角度を調節できる自撮り棒の補助設備が必要となる。
【先行技術文献】
【特許文献】
【０００３】
【特許文献１】中国特許出願公開第１０５６８１５０８号明細書
【発明の概要】
【発明が解決しようとする課題】
【０００４】
本発明は自撮り棒の補助設備を提供し、既存技術にある上記欠点を解消することを目的とする。
【課題を解決するための手段】
【０００５】
本発明の実施例の自撮り棒の補助設備は、固定箱を含み、前記固定箱の中には上方に開口した固定チャンバが設置され、前記固定チャンバの両側には伝動チャンバが連通するように設置され、前記伝動チャンバの上方にはスライドチャンバが連通するように設置され、前記スライドチャンバの上方には連結チャンバが連通するように設置され、前記連結チャンバと前記固定チャンバとの間には自撮り棒を固定できる固定機構が設置され、前記固定機構の下方には自撮り棒の高さを調節できる回転機構が設置され、前記回転機構の中にはネジ穴が設置され、前記ネジ穴の左右両側にはスライド溝が設置され、前記回転機構の下方には支持機能を持つ支持機構が設置され、前記支持機構の中には第二支持ブロックが設置され、前記第二支持ブロックの中には移動チャンバが設置され、前記固定機構の前側にはスマホを固定することができる挟み機構が設置され、前記挟み機構の中には回転チャンバが設置され、前記回転チャンバの中には回転箱が設置されている。
【０００６】
さらなる技術プランには、前記固定機構は前記固定チャンバの中にスライドできるように取り付けられた移動ブロックを含み、前記移動ブロックの底部端面と前記固定チャンバの底壁との間には固定ばねが固定的に取り付けられ、前記伝動チャンバの前後内壁の間には伝動ロッドが回転できるように取り付けられ、前記伝動ロッドにはギヤが固定的に取り付けられ、前記ギヤが前記移動ブロックと噛み合っており、前記スライドチャンバの中にはスライドブロックがスライドできるように取り付けられ、前記スライドブロックが前記ギヤと噛み合っており、前記連結チャンバの中には連結ブロックがスライドできるように取り付けられ、前記連結ブロックと前記連結チャンバとの間には連結ばねが固定的に取り付けられ、前記連結ブロックの頂部端面には推し動かしブロックが固定的に取り付けられ、前記推し動かしブロックには固定板が固定的に取り付けられ、前記固定板の中には固定溝が設置されている。
【０００７】
さらなる技術プランには、前記回転機構は前記固定箱の下方に設置された昇降ブロックを含み、前記ネジ穴が前記固定箱の底部端面に下方に開口するように設置され、前記ネジ穴の中にはネジ山ブロックがネジ山によって取り付けられ、前記ネジ山ブロックの底部端面が前記昇降ブロックの頂部端面と固定的に取り付けられ、前記スライド溝の中には制限ブロックがスライドできるように取り付けられ、前記制限ブロックが前記昇降ブロックと回転できるように取り付けられている。
【０００８】
さらなる技術プランには、前記支持機構は前記昇降ブロックの底部端面の中に回転できるように取り付けられた回転盤を含み、前記回転盤の底部端面には支持板が前後対称的に固定的に取り付けられ、前後の前記支持板の間には第一回転ロッドが左右対称的に回転できるように取り付けられ、前記第二支持ブロックが前記第一回転ロッドに固定的に取り付けられ、前記移動チャンバの中には移動溝が設置され、前記移動溝の中にはスライドロッドがスライドできるように取り付けられ、前記スライドロッドには第一支持ブロックが回転できるように取り付けられ、前記移動溝には位置制限穴が連通するように設置され、前記支持板の中には支持孔が設置され、前記支持孔の左右内壁の間には第二回転ロッドが回転できるように取り付けられ、前記第二回転ロッドには支持ロッドが固定的に取り付けられている。
【０００９】
さらなる技術プランには、前記挟み機構は前記回転チャンバの左側内壁の中に固定的に取り付けられたモーターを含み、前記モーターの右向きの出力軸の右側の端面にはモーターロッドが固定的に取り付けられ、前記モーターロッドが前記回転チャンバの右側内壁と回転できるように連結され、前記回転箱が前記モーターロッドに固定的に取り付けられ、前記モーターロッドの中には横溝が設置され、前記横溝の左右両側には第一引っ掛かり溝が連通するように設置され、前記第一引っ掛かり溝の中には第一引っ掛かりブロックがスライドできるように取り付けられ、前記第一引っ掛かりブロックと前記第一引っ掛かり溝との間には第一ばねが固定的に取り付けられ、前記横溝の底壁には縦溝が連通するように設置され、前記縦溝の左右両側には第二引っ掛かり溝が連通するように設置され、前記第二引っ掛かり溝の中には第二引っ掛かりブロックがスライドできるように取り付けられ、前記第二引っ掛かりブロックと前記第二引っ掛かり溝との間には第二ばねが固定的に取り付けられている。
【発明の効果】
【００１０】
本発明の有益な効果は：本発明は構成が簡単で、操作が便利であり、自撮り棒を固定チャンバに挿し込み、固定板を利用して自撮り棒をきつく挟み、自撮り棒を設備に固定すれば、遠距離の自撮りをすることができ、回転機構の中の昇降ブロックを回転させれば、固定箱の高さを調整することができ、身長が異なる人は撮影する時の高さに対するニーズを満たせ、挟み機構の中の横溝と縦溝はスマホを横向き又は縦向きにきつく挟み、スマホの撮影角度を調整することができ、支持機構は設備の四つの面を支持し、設備は倒れにくく、普及する価値がある。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の構成概略図
【図２】図２は図１の中のＡ―Ａ方向の断面構成概略図
【図３】図３は図１の中のＢ―Ｂ方向の断面構成概略図
【図４】図４は図１の中のＣのところの拡大概略図
【図５】図５は図２の中のＤ―Ｄ方向の断面構成概略図
【発明を実施するための形態】
【００１３】
図１〜５を参照し、本発明の実施例の自撮り棒の補助設備は、固定箱５５を含み、前記固定箱５５の中には上方に開口した固定チャンバ２９が設置され、前記固定チャンバ２９の両側には伝動チャンバ２０が連通するように設置され、前記伝動チャンバ２０の上方にはスライドチャンバ１６が連通するように設置され、前記スライドチャンバ１６の上方には連結チャンバ１４が連通するように設置され、前記連結チャンバ１４と前記固定チャンバ２９との間には自撮り棒５６を固定できる固定機構７０が設置され、前記固定機構７０の下方には自撮り棒の高さを調節できる回転機構８０が設置され、前記回転機構８０の中にはネジ穴２６が設置され、前記ネジ穴２６の左右両側にはスライド溝２１が設置され、前記回転機構８０の下方には支持機能を持つ支持機構９０が設置され、前記支持機構９０の中には第二支持ブロック４０が設置され、前記第二支持ブロック４０の中には移動チャンバ４５が設置され、前記固定機構７０の前側にはスマホを固定することができる挟み機構１００が設置され、前記挟み機構１００の中には回転チャンバ３２が設置され、前記回転チャンバ３２の中には回転箱３１が設置されている。
【００１４】
有益な又は例示のように、前記固定機構７０は前記固定チャンバ２９の中にスライドできるように取り付けられた移動ブロック２８を含み、前記移動ブロック２８の底部端面と前記固定チャンバ２９の底壁との間には固定ばね２７が固定的に取り付けられ、前記伝動チャンバ２０の前後内壁の間には伝動ロッド１９が回転できるように取り付けられ、前記伝動ロッド１９にはギヤ１８が固定的に取り付けられ、前記ギヤ１８が前記移動ブロック２８と噛み合っており、前記スライドチャンバ１６の中にはスライドブロック１７がスライドできるように取り付けられ、前記スライドブロック１７が前記ギヤ１８と噛み合っており、前記連結チャンバ１４の中には連結ブロック１３がスライドできるように取り付けられ、前記連結ブロック１３と前記連結チャンバ１４との間には連結ばね１５が固定的に取り付けられ、前記連結ブロック１３の頂部端面には推し動かしブロック１２が固定的に取り付けられ、前記推し動かしブロック１２には固定板１１が固定的に取り付けられ、前記固定板１１の中には固定溝３０が設置され、
それによって自撮り棒５６を固定チャンバ２９に挿し込み、それによって移動ブロック２８が下方へ移動し、ギヤ１８を回転連動させ、両側のスライドブロック１７と連結ブロック１３とが互いに近づき、両側の推し動かしブロック１２と固定板１１とを連動させて互いに近づかせ、固定溝３０が自撮り棒５６の表面に密着し、自撮り棒５６を挟む。
【００１５】
有益な又は例示のように、前記回転機構８０は前記固定箱５５の下方に設置された昇降ブロック２４を含み、前記ネジ穴２６が前記固定箱５５の底部端面に下方に開口するように設置され、前記ネジ穴２６の中にはネジ山ブロック２３がネジ山によって取り付けられ、前記ネジ山ブロック２３の底部端面が前記昇降ブロック２４の頂部端面と固定的に取り付けられ、前記スライド溝２１の中には制限ブロック２２がスライドできるように取り付けられ、前記制限ブロック２２が前記昇降ブロック２４と回転できるように取り付けられ、
それによって昇降ブロック２４を回転させ、ネジ山ブロック２３を回転連動させ、制限ブロック２２がスライド溝２１の中でスライドし、固定箱５５を上下に移動連動させる。
【００１６】
有益な又は例示のように、前記支持機構９０は前記昇降ブロック２４の底部端面の中に回転できるように取り付けられた回転盤２５を含み、前記回転盤２５の底部端面には支持板３５が前後対称的に固定的に取り付けられ、前後の前記支持板３５の間には第一回転ロッド３９が左右対称的に回転できるように取り付けられ、前記第二支持ブロック４０が前記第一回転ロッド３９に固定的に取り付けられ、前記移動チャンバ４５の中には移動溝４６が設置され、前記移動溝４６の中にはスライドロッド４１がスライドできるように取り付けられ、前記スライドロッド４１には第一支持ブロック４２が回転できるように取り付けられ、前記移動溝４６には位置制限穴４４が連通するように設置され、前記支持板３５の中には支持孔３６が設置され、前記支持孔３６の左右内壁の間には第二回転ロッド３７が回転できるように取り付けられ、前記第二回転ロッド３７には支持ロッド３８が固定的に取り付けられ、
それによって第二支持ブロック４０を引いてから第一支持ブロック４２を引き、スライドロッド４１が移動溝４６でスライドし、スライドロッド４１が位置制限穴４４に入り、第一支持ブロック４２の頂部を位置制限溝４３に引っ掛からせ、第一支持ブロック４２の底部が地面に支持し、支持ロッド３８を回転させ、左右の支持とする。
【００１７】
有益な又は例示のように、前記挟み機構１００は前記回転チャンバ３２の左側内壁の中に固定的に取り付けられたモーター４７を含み、前記モーター４７の右向きの出力軸の右側の端面にはモーターロッド４８が固定的に取り付けられ、前記モーターロッド４８が前記回転チャンバ３２の右側内壁と回転できるように連結され、前記回転箱３１が前記モーターロッド４８に固定的に取り付けられ、前記モーターロッド４８の中には横溝３３が設置され、前記横溝３３の左右両側には第一引っ掛かり溝５４が連通するように設置され、前記第一引っ掛かり溝５４の中には第一引っ掛かりブロック５３がスライドできるように取り付けられ、前記第一引っ掛かりブロック５３と前記第一引っ掛かり溝５４との間には第一ばね５２が固定的に取り付けられ、前記横溝３３の底壁には縦溝３４が連通するように設置され、前記縦溝３４の左右両側には第二引っ掛かり溝４９が連通するように設置され、前記第二引っ掛かり溝４９の中には第二引っ掛かりブロック５０がスライドできるように取り付けられ、前記第二引っ掛かりブロック５０と前記第二引っ掛かり溝４９との間には第二ばね５１が固定的に取り付けられ、
それによってスマホが横溝３３の中に横に向いて固定されることができれば、縦に向いて縦溝３４の中に固定されることもでき、第一引っ掛かりブロック５３と第二引っ掛かりブロック５０とによってスマホをきつく挟み、モーター４７が始動されてモーターロッド４８を回転連動させ、モーターロッド４８が回転して回転箱３１を回転連動させ、スマホの角度を調節する。
【００１８】
使用の時、自撮り棒５６を固定チャンバ２９に挿し込み、それによって移動ブロック２８が下方へ移動し、ギヤ１８を回転連動させ、両側のスライドブロック１７と連結ブロック１３とが互いに近づき、両側の推し動かしブロック１２と固定板１１とを連動させて互いに近づかせ、固定溝３０が自撮り棒５６の表面に密着し、自撮り棒５６を挟み、昇降ブロック２４を回転させ、ネジ山ブロック２３を回転連動させ、制限ブロック２２がスライド溝２１の中でスライドし、固定箱５５を上下に移動連動させ、第二支持ブロック４０を引いてから第一支持ブロック４２を引き、スライドロッド４１が移動溝４６でスライドし、スライドロッド４１が位置制限穴４４に入り、第一支持ブロック４２の頂部を位置制限溝４３に引っ掛からせ、第一支持ブロック４２の底部が地面に支持し、支持ロッド３８を回転させ、左右の支持とし、スマホが横溝３３の中に横に向いて固定されることができれば、縦に向いて縦溝３４の中に固定されることもでき、第一引っ掛かりブロック５３と第二引っ掛かりブロック５０とによってスマホをきつく挟み、モーター４７が始動されてモーターロッド４８を回転連動させ、モーターロッド４８が回転して回転箱３１を回転連動させ、スマホの角度を調節する。
【００１９】
本発明の有益な効果は：本発明は構成が簡単で、操作が便利であり、自撮り棒を固定チャンバに挿し込み、固定板を利用して自撮り棒をきつく挟み、自撮り棒を設備に固定すれば、遠距離の自撮りをすることができ、回転機構の中の昇降ブロックを回転させれば、固定箱の高さを調整することができ、身長が異なる人は撮影する時の高さに対するニーズを満たせ、挟み機構の中の横溝と縦溝はスマホを横向き又は縦向きにきつく挟み、スマホの撮影角度を調整することができ、支持機構は設備の四つの面を支持し、設備は倒れにくく、普及する価値がある。
【００２０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。